(57)【要約】【課題】  紫外線によるメモリデータの消去を確実に防ぐことができ、液体に関する情報を記憶している情報記憶部とアンテナ部の静電破壊を防ぐことができる情報通信部材、情報通信部材を備える液体容器および液体噴射装置を提供すること。【解決手段】  液体噴射ヘッドとしての記録ヘッドに対してインクを供給するための液体容器の一例であるインクカートリッジ２００に配置されて、インクカートリッジ２００に収容されている液体の一例であるインクに関する情報を記憶している情報記憶部４１０と、情報記憶部４１０に記憶されているインクに関する情報を記録装置１００との間で無線通信するアンテナ部４３０と、を有する情報通信部材４００であり、情報記憶部４１０とアンテナ部４３０を配置するための基材４４０が、電気絶縁性および紫外線遮断性を有する。【選択図】      図１１
2004338395.tif 000002
【特許請求の範囲】
【請求項１】
液体噴射ヘッドに対して液体を供給するための液体容器に配置されて、前記液体容器に収容されている前記液体に関する情報を記憶している情報記憶部と、前記情報記憶部に記憶されている前記液体に関する情報を本体との間で無線通信するアンテナ部と、を有する情報通信部材であり、
前記情報記憶部と前記アンテナ部を配置するための基材が、電気絶縁性および紫外線遮断性を有することを特徴とする情報通信部材。
【請求項２】
前記基材は、
前記電気絶縁性および紫外線遮断性を有していて前記情報記憶部と前記アンテナ部を保護する保護層と、
前記保護層に対して前記情報記憶部と前記アンテナ部を接着しており、前記液体容器に前記保護層とともに前記情報記憶部と前記アンテナ部を貼り付けるための接着層と、
を有することを特徴とする請求項１に記載の情報通信部材。
【請求項３】
前記情報記憶部と前記アンテナ部を電気的に接続するジャンパー接続線が、前記接着層内に配置されていることを特徴とする請求項１に記載の情報通信部材。
【請求項４】
前記基材の前記情報記憶部と前記アンテナ部を覆って保護するために着脱可能に貼り付けられ、電気絶縁性および紫外線遮断性を有する剥離シートをさらに有することを特徴とする請求項１乃至請求項３のいずれかに記載の情報通信部材。
【請求項５】
液体噴射ヘッドに対して液体を供給するための液体容器に配置されて、前記液体容器に収容されている前記液体に関する情報を記憶している情報記憶部と、前記情報記憶部に記憶されている前記液体に関する情報を本体側に無線通信するアンテナ部と、を有する情報通信部材を備える液体容器であり、
前記情報通信部材の前記情報記憶部と前記アンテナ部を配置するための基材が、電気絶縁性および紫外線遮断性を有することを特徴とする情報通信部材を有する液体容器。
【請求項６】
液体噴射ヘッドに対して液体を供給するための液体容器に配置されて、前記液体容器に収容されている前記液体に関する情報を記憶している情報記憶部と、前記情報記憶部に記憶されている前記液体に関する情報を本体との間で無線通信するアンテナ部と、を有する情報通信部材を備える液体容器が配置される液体噴射装置であり、
前記情報通信部材の前記情報記憶部と前記アンテナ部を配置するための基材が、電気絶縁性および紫外線遮断性を有することを特徴とする液体噴射装置。
【請求項７】
情報を記憶する情報記憶部と、前記情報記憶部に記憶された情報を外部装置との間で無線通信するアンテナ部と、を有する情報通信部材であり、
前記情報記憶部と前記アンテナ部を配置するための基材が、電気絶縁性および紫外線遮断性を有することを特徴とする情報通信部材。
【請求項８】
前記基材は、
前記電気絶縁性および紫外線遮断性を有していて前記情報記憶部と前記アンテナ部を保護する保護層と、
前記保護層に対して前記情報記憶部と前記アンテナ部を接着しており、前記保護層とともに前記情報記憶部と前記アンテナ部を物品に貼り付けるための接着層と、
を有することを特徴とする請求項７に記載の情報通信部材。
【請求項９】
前記情報記憶部と前記アンテナ部を電気的に接続するジャンパー接続線が、前記接着層内に配置されていることを特徴とする請求項７に記載の情報通信部材。
【請求項１０】
前記基材の前記情報記憶部と前記アンテナ部を覆って保護するために着脱可能に貼り付けられ、電気絶縁性および紫外線遮断性を有する剥離シートをさらに有することを特徴とする請求項７乃至請求項８のいずれかに記載の情報通信部材。
【請求項１１】
収容された記録材に関する情報を記憶する情報記憶部と、前記情報記憶部に記憶された前記情報を本体側に無線通信するアンテナ部と、を有する情報通信部材を備えた記録材容器であり、
前記情報通信部材の前記情報記憶部と前記アンテナ部を配置するための基材が、電気絶縁性および紫外線遮断性を有することを特徴とする情報通信部材を有する記録材容器。
【請求項１２】
記録材を収容した記録材容器に配置されて、前記記録材容器に収容されている前記記録材に関する情報を記憶している情報記憶部と、前記情報記憶部に記憶されている前記情報を本体との間で無線通信するアンテナ部と、を有する情報通信部材を備える液体容器が配置される記録装置であり、
前記情報通信部材の前記情報記憶部と前記アンテナ部を配置するための基材が、電気絶縁性および紫外線遮断性を有することを特徴とする記録装置。
【発明の詳細な説明】
【技術分野】
【０００１】
本発明は、情報を無線通信により外部と送受信することができる情報通信部材、特にこの情報通信部材を備えた液体容器および液体噴射装置、並びに記録材容器および記録装置に関するものである。
【背景技術】
【０００２】
ターゲットに対して液体を噴射させる液体噴射装置として、記録ヘッドから記録媒体に対してインク滴を噴射させて印刷を行うインクジェット式記録装置が知られていた。そして、このようなインクジェット式記録装置は、記録ヘッドのノズルから記録媒体に対して微小なインク滴を吐出させて、所望の文字や図形などの画像を記録する。
【０００３】
インクジェット式記録装置は、記録ヘッドとインクカートリッジを備えている。インクカートリッジは記録ヘッドに対してインクを供給するためのインクを収容している。
【０００４】
このインクカートリッジに収容されているインクに関する情報は、記録装置側に知らせることが必要となる。
【０００５】
記録ヘッドは、印刷データに対応して駆動信号を圧電振動子などに供給することで、この圧電振動子が発生したエネルギーによりインクを加圧してノズル開口からインク滴を吐出させるものである。
【０００６】
従来、インクカートリッジがキャリッジのホルダに装着されたかどうかを確認するために、インクカートリッジ側の回路基板は、ホルダ側の接点に対して電気的に接触することにより信号を送るようになっているものがある（たとえば特許文献１。）。
【０００７】
また、インクカートリッジに収容されているインクに関する情報が、無線通信により記録装置側に送れるようになっているものもある（たとえば特許文献２。）。
【０００８】
【特許文献１】特開２００１−７１４６９号公報（第３頁乃至第４頁、図５）
【特許文献２】特開２００２−２３４１９２号公報（第８頁乃至第９頁、図３）
【発明の開示】
【発明が解決しようとする課題】
【０００９】
特許文献１に記載されている直接接触して信号を送る形式を採用すると、電気的な接触不良が生じることがある。
【００１０】
また、特許文献２に示すような無線通信により信号を送る形式を採用する場合には、インクカートリッジ側にはアンテナ部と不揮発性メモリを備えている。この不揮発性メモリ（ＥＥＰＲＯＭ：Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）に、インクに関する各種の情報が記憶されているのであるが、紫外線が照射されるとその記憶データが消去してしまうという問題がある。
【００１１】
また不揮発性のメモリおよびアンテナは、インクカートリッジの表面に貼り付けられているために、人体が発生する静電気や機械部分が発生する静電気により、そのアンテナ（アンテナ回路部）および不揮発性メモリ（ＩＣチップとも呼んでいる）、そして必要な場合に設けられているセンサ端子部を静電破壊してしまうという問題がある。
【００１２】
そこで本発明は上記課題を解消し、紫外線によるメモリデータの消去を確実に防ぐことができ、情報を記憶している情報記憶部とアンテナ部の静電破壊を防ぐことができる情報通信部材、情報通信部材を備える液体容器および液体噴射装置並びに記録材容器および記録装置を提供することを目的としている。
【課題を解決するための手段】
【００１３】
本発明の情報通信部材は、液体噴射ヘッドに対して液体を供給するための液体容器に配置されて、前記液体容器に収容されている前記液体に関する情報を記憶している情報記憶部と、前記情報記憶部に記憶されている前記液体に関する情報を本体との間で無線通信するアンテナ部と、を有する情報通信部材であり、前記情報記憶部と前記アンテナ部を配置するための基材が、電気絶縁性および紫外線遮断性を有することを特徴とする。
【００１４】
この発明では、情報通信部材は、液体容器に配置される。情報通信部材の情報記憶部は、液体容器に収容されている液体に関する情報を記憶している。アンテナ部は、情報記憶部に記憶されている液体に関する情報を本体との間で無線通信するものである。
【００１５】
情報通信部材の基材は、情報通信部材とアンテナ部を配置している。この基材は、電気絶縁性および紫外線遮断性を有している。
【００１６】
これにより、基材の電気絶縁性は、情報記憶部とアンテナ部の静電破壊を防ぐことができる。また基材の紫外線遮断性は、紫外線を遮断するので、情報記憶部の記憶している液体に関する情報の消去（揮発）を確実に防ぐことができる。
【００１７】
上記構成において、前記基材は、前記電気絶縁性および紫外線遮断性を有していて前記情報記憶部と前記アンテナ部を保護する保護層と、前記保護層に対して前記情報記憶部と前記アンテナ部を接着しており、前記液体容器に前記保護層とともに前記情報記憶部と前記アンテナ部を貼り付けるための接着層と、を有することを特徴とするのが望ましい。
【００１８】
このような構成によれば、基材の保護層は、電気絶縁性および紫外線遮断性を有していて、情報記憶部とアンテナ部を保護する部分である。基材の接着層は、保護層に対して情報記憶部とアンテナ部を接着しており、しかもこの接着層は液体容器に対して保護するとともに情報記憶部とアンテナ部を貼り付ける部分である。
【００１９】
これにより、情報記憶部とアンテナ部は、比較的薄い厚みの基材により液体容器に対して確実に貼り付けて固定することができる。
【００２０】
上記構成において、前記情報記憶部と前記アンテナ部を電気的に接続するジャンパー接続線が、前記接着層内に配置されていることを特徴とするのが望ましい。
【００２１】
このような構成によれば、情報記憶部とアンテナ部を電気的に接続するジャンパー接続線は、接着層内に配置することができる。これによりジャンパー接続線がアンテナ部に対して電気的に触れることを防ぐことができる。
【００２２】
上記構成において、前記基材の前記情報記憶部と前記アンテナ部を覆って保護するために着脱可能に貼り付けられ、電気絶縁性および紫外線遮断性を有する剥離シートをさらに有することを特徴とするのが望ましい。
【００２３】
このような構成によれば、剥離シートは、基材の情報記憶部とアンテナ部を保護するために着脱可能に貼り付けられている。この剥離シートは基材側から剥離することにより、情報記憶部とアンテナ部とともに基材を液体容器に貼り付けることができる。剥離シートは、電気絶縁性および紫外線遮断性を有しているので、剥離シートの電気絶縁性は、情報記憶部とアンテナ部の静電破壊を防ぐことができ、剥離シートの紫外線遮断性は、情報記憶部に記憶された液体に関する情報の消去を確実に防ぐことができる。
【００２４】
本発明の情報通信部材を有する液体容器は、液体噴射ヘッドに対して液体を供給するための液体容器に配置されて、前記液体容器に収容されている前記液体に関する情報を記憶している情報記憶部と、前記情報記憶部に記憶されている前記液体に関する情報を本体側に無線通信するアンテナ部と、を有する情報通信部材を備える液体容器であり、前記情報通信部材の前記情報記憶部と前記アンテナ部を配置するための基材が、電気絶縁性および紫外線遮断性を有することを特徴とする。
【００２５】
この発明では、情報通信部材は、液体容器に配置される。情報通信部材の情報記憶部は、液体容器に収容されている液体に関する情報を記憶している。アンテナ部は、情報記憶部に記憶されている液体に関する情報を本体との間で無線通信するものである。
【００２６】
情報通信部材の基材は、情報通信部材とアンテナ部を配置している。この基材は、電気絶縁性および紫外線遮断性を有している。
【００２７】
これにより、基材の電気絶縁性は、情報記憶部とアンテナ部の静電破壊を防ぐことができる。また基材の紫外線遮断性は、紫外線を遮断するので、情報記憶部が記憶している液体に関する情報の消去（揮発）を確実に防ぐことができる。
【００２８】
本発明の液体噴射装置は、液体噴射ヘッドに対して液体を供給するための液体容器に配置されて、前記液体容器に収容されている前記液体に関する情報を記憶している情報記憶部と、前記情報記憶部に記憶されている前記液体に関する情報を本体との間で無線通信するアンテナ部と、を有する情報通信部材を備える液体容器が配置される液体噴射装置であり、前記情報通信部材の前記情報記憶部と前記アンテナ部を配置するための基材が、電気絶縁性および紫外線遮断性を有することを特徴とする。
【００２９】
この発明では、情報通信部材は、液体容器に配置される。情報通信部材の情報記憶部は、液体容器に収容されている液体に関する情報を記憶している。アンテナ部は、情報記憶部に記憶されている液体に関する情報を本体との間で無線通信するものである。
【００３０】
情報通信部材の基材は、情報通信部材とアンテナ部を配置している。この基材は、電気絶縁性および紫外線遮断性を有している。
【００３１】
これにより、基材の電気絶縁性は、情報記憶部とアンテナ部の静電破壊を防ぐことができる。また基材の紫外線遮断性は、紫外線を遮断するので情報記憶部が記憶している液体に関する情報の消去（揮発）を確実に防ぐことができる。
【００３２】
本発明の情報通信部材は、情報を記憶する情報記憶部と、前記情報記憶部に記憶された情報を外部装置との間で無線通信するアンテナ部と、を有する情報通信部材であり、前記情報記憶部と前記アンテナ部を配置するための基材が、電気絶縁性および紫外線遮断性を有することを特徴とする。
【００３３】
この発明によれば、基材の電気絶縁性は、情報記憶部とアンテナ部の静電破壊を防ぐことができる。また基材の紫外線遮断性は、紫外線を遮断するので、情報記憶部の記憶している情報の消去（揮発）を確実に防ぐことができる。
【００３４】
上記構成において、前記基材は、前記電気絶縁性および紫外線遮断性を有していて前記情報記憶部と前記アンテナ部を保護する保護層と、前記保護層に対して前記情報記憶部と前記アンテナ部を接着しており、前記保護層とともに前記情報記憶部と前記アンテナ部を物品に貼り付けるための接着層と、を有することを特徴とするのが望ましい。
【００３５】
このような構成によれば、基材の保護層は、電気絶縁性および紫外線遮断性を有していて、情報記憶部とアンテナ部を保護する部分である。基材の接着層は、保護層に対して情報記憶部とアンテナ部を接着しており、しかもこの接着層は情報通信部材が貼り付けられる物品に対して保護するとともに情報記憶部とアンテナ部を貼り付ける部分である。
【００３６】
これにより、情報記憶部とアンテナ部は、比較的薄い厚みの基材により部材に対して確実に貼り付けて固定することができる。
【００３７】
上記構成において、前記情報記憶部と前記アンテナ部を電気的に接続するジャンパー接続線が、前記接着層内に配置されていることを特徴とするのが望ましい。
【００３８】
このような構成によれば、情報記憶部とアンテナ部を電気的に接続するジャンパー接続線は、接着層内に配置することができる。これによりジャンパー接続線がアンテナ部に対して電気的に触れることを防ぐことができる。
【００３９】
上記構成において、前記基材の前記情報記憶部と前記アンテナ部を覆って保護するために着脱可能に貼り付けられ、電気絶縁性および紫外線遮断性を有する剥離シートをさらに有することを特徴とするのが望ましい。
【００４０】
このような構成によれば、剥離シートは、基材の情報記憶部とアンテナ部を保護するために着脱可能に貼り付けられている。この剥離シートは基材側から剥離することにより、情報記憶部とアンテナ部とともに基材を物品に貼り付けることができる。剥離シートは、電気絶縁性および紫外線遮断性を有しているので、剥離シートの電気絶縁性は、情報記憶部とアンテナ部の静電破壊を防ぐことができ、剥離シートの紫外線遮断性は、情報記憶部に記憶された情報の消去を確実に防ぐことができる。
【００４１】
本発明の記録材容器は、収容された記録材に関する情報を記憶する情報記憶部と、前記情報記憶部に記憶された前記情報を本体側に無線通信するアンテナ部と、を有する情報通信部材を備えた記録材容器であり、前記情報通信部材の前記情報記憶部と前記アンテナ部を配置するための基材が、電気絶縁性および紫外線遮断性を有することを特徴とする情報通信部材を有することを特徴とする。
【００４２】
この発明によれば、基材の電気絶縁性は、情報記憶部とアンテナ部の静電破壊を防ぐことができる。また基材の紫外線遮断性は、紫外線を遮断するので、情報記憶部の記憶している記録材に関する情報の消去（揮発）を確実に防ぐことができる。
【００４３】
本発明の記録装置は、記録材を収容した記録材容器に配置されて、前記記録材容器に収容されている前記記録材に関する情報を記憶している情報記憶部と、前記情報記憶部に記憶されている前記情報を本体との間で無線通信するアンテナ部と、を有する情報通信部材を備える液体容器が配置される記録装置であり、前記情報通信部材の前記情報記憶部と前記アンテナ部を配置するための基材が、電気絶縁性および紫外線遮断性を有することを特徴とする。
【００４４】
この発明によれば、基材の電気絶縁性は、情報記憶部とアンテナ部の静電破壊を防ぐことができる。また基材の紫外線遮断性は、紫外線を遮断するので、情報記憶部の記憶している記録材に関する情報の消去（揮発）を確実に防ぐことができる。
【発明を実施するための最良の形態】
【００４５】
以下、本発明の好適な実施形態を図面に基づいて説明する。
【００４６】
図１は、本発明の情報通信部材を備える液体容器としてのインクカートリッジを装着した液体噴射装置の一例としてのインクジェット式記録装置の好ましい実施形態を示している。
【００４７】
図１に示すインクジェット式記録装置１００は、本体１０１、カバー１０９、キャリッジ２、記録ヘッド１、そして複数のインクカートリッジ２００，２０１を有している。
【００４８】
図１に示すインクジェット式記録装置１００は、記録用紙のような記録媒体に対して印刷を行った後に記録用紙を排出するようになっている。カバー１０９は、本体１０１のキャリッジ２、記録ヘッド１などを開閉可能に覆うためのものである。
【００４９】
インクジェット式の記録ヘッド１は、液体噴射ヘッドの一例であり、キャリッジ２に搭載されている。キャリッジ２は記録ヘッド１とともに記録用紙の幅方向であるＴ方向に沿って往復移動可能になっている。具体的には、キャリッジ２は、ガイドバー９に沿って、図示しないモータの作動により往復移動することで、記録ヘッド１は記録媒体に印刷する。
【００５０】
キャリッジ２には、１つのインクカートリッジ２００と、３つの別のインクカートリッジ２０１が着脱可能に装着できるようになっている。インクカートリッジ２００，２０１は、液体容器の一例であり、インクは液体の一例である。
【００５１】
図２は、図１のキャリッジ２およびインクカートリッジ２００，２０１を拡大して示している。キャリッジ２は、たとえばプラスチックや金属により作られている。
【００５２】
インクカートリッジ２００とインクカートリッジ２０１は、それぞれたとえばプラスチックにより作られている。インクカートリッジ２００は、たとえばブラックインクを収容するカートリッジである。これに対して、３つのインクカートリッジ２０１は、それぞれイエロー、マゼンタおよびシアンの各インクを収容している。
【００５３】
図２に示すインクカートリッジ２００の外形状は、インクカートリッジ２０１とほぼ同様であるが、インクカートリッジ２００の幅Ｗ１が、インクカートリッジ２０１の幅Ｗ２に比べて大きくなっている。インクカートリッジ２００の構造は、インクカートリッジ２０１の構造と同じである。
【００５４】
図３と図４は、インクカートリッジ２０１の構造を代表して示している。図３と図４に示すインクカートリッジ２０１の構造は、図２に示すインクカートリッジ２００の構造と同じである。
【００５５】
図３は、インクカートリッジ２０１を後方から見た斜視図であり、図４はインクカートリッジ２０１を前方から見た斜視図である。
【００５６】
図３と図４においてインクカートリッジ２０１は、扁平な容器本体５と、レバー２０，２１およびインク供給口７を有している。
【００５７】
図３と図４の容器本体５の上部壁面５ａには、本発明の情報通信部材４００の好ましい実施形態が貼り付けられている。この上部壁面５ａは、たとえばレバー２０からレバー２１にかけて傾斜している面である。蓋体６は、容器本体５の開口部を閉じるための蓋である。この容器本体５と蓋体６の中の空間が、インクを収容する空間である。
【００５８】
レバー２０，２１は、インクカートリッジ２０１を図２に示すキャリッジ２の中から取り外す際に操作するレバーである。
【００５９】
図３と図４および図２に示す情報通信部材４００は、後で説明するインクに関する情報を図１に示すインクジェット式記録装置１００の本体１０１側との間で非接触により送受信したり、本体１０１側から作動用の電力を非接触により受けるための部材である。
【００６０】
この情報通信部材４００と本体１０１側との間では、インクに関する情報と電力の供給を、非接触式でしかも無線通信方式で送受信するようになっている。
【００６１】
図１と図２に示す記録ヘッド１は、各インクカートリッジに対応するノズル開口を有している。記録ヘッド１は、図２に示すインクカートリッジ２００，２０１内にそれぞれ収容されたインクの種類、インクの残量、シリアル番号、有効期限などのインクに関する情報を、それぞれのインクカートリッジ２００，２０１から受け取ることで、ノズル開口から適切なインクの噴射を行うようになっている。
【００６２】
このために、図２に示すインクカートリッジ２００，２０１は、インクに関する情報を記憶した情報通信部材４００を有している。
【００６３】
この情報通信部材４００は、図２乃至図４に示すように、インクカートリッジ２００，２０１の上部壁面５ａに対して好ましくは着脱可能に貼り付けて配置されている。
【００６４】
情報通信部材４００は、ＲＦＩＤ（電波方式による認識、非接触式による認識）タグ（荷札）もしくはＩＣ（Ｉｎｔｅｇｒａｔｅｄ  Ｃｉｒｃｕｉｔ）ラベルなどとも呼んでいる。
【００６５】
図５と図６は、情報通信部材４００の好ましい実施形態を示している。
【００６６】
図５と図６に示す情報通信部材４００は、図２に示すようにインクカートリッジ２００，２０１の上部壁面５ａに貼り付ける前の状態、つまり使用前の状態を示している。
【００６７】
図５と図６の情報通信部材４００は、概略的には基材４４０、剥離シート４６０、情報記憶部４１０、アンテナ回路部（アンテナ部の一例）４３０、センサ端子部７５０，７５１、そして接続配線部７７１，７７２を有している。
【００６８】
剥離シート４６０は、基材４４０の情報記憶部４１０、アンテナ回路部４３０を保護するために、着脱可能に基材４４０に対して貼り付けられている。この剥離シート４６０は、情報通信部材４００を図２に示すようにインクカートリッジ２００，２０１の上部壁面５ａに対して貼り付ける場合には、基材４４０から剥離して捨てるシートである。
【００６９】
図７は、図５のＨ−Ｈ線における断面構造例を示している。ただし図７においては、基材４４０と剥離シート４６０は、分かりやすく図示するためにやや離して図示している。
【００７０】
図５乃至図７に示すように、基材４４０と剥離シート４６０は、帯状部材もしくは長方形状の部材である。しかし基材４４０および剥離シート４６０の形状は、インクカートリッジの形状や用途に応じて長方形状もしくは帯状の形状に限らず、円形状や楕円形状あるいは多角形状その他の形状を採用することも勿論可能である。
【００７１】
情報記憶部４１０は、たとえばＩＣパッケージのような電子部品である。情報記憶部４１０は、図７に示すように不揮発性メモリ（ＥＥＰＲＯＭ：Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）４９０を有している。
【００７２】
この不揮発性メモリ４９０は、たとえばインクカートリッジ２００，２０１の中に収容されているインクの種類、インクの残量、シリアル番号、有効期限などのデータ情報を記憶している。
【００７３】
次に、図５〜図７に示す情報通信部材４００について詳しく説明する。
【００７４】
図５は、情報通信部材４００の使用前の例を示しており、図６は図５の情報通信部材４００の分解斜視図である。
【００７５】
図５と図６に示すように、情報通信部材４００は、長方形状もしくは帯状の比較的薄い部材である。
【００７６】
情報通信部材４００は、剥離シート４６０、基材４４０、情報記憶部４１０、そしてアンテナ回路部４３０を有している。アンテナ回路部４３０は、所定回数だけ螺旋状に導体を形成することで構成され、アンテナパターン部あるいはアンテナ部などとも呼んでいる。
【００７７】
この基材４４０を貼り付けて使用する前の状態では、図５と図６に示す剥離シート４６０が用いられる。この剥離シート４６０の剥離紙７５９は、基材４４０の情報記憶部４１０とアンテナ回路部４３０とセンサ端子部７５０，７５１を保護するために、基材４４０側に予め貼り付けられており、使用時には図７に示す剥離線４６０Ｒに沿って接着層７６０から簡単に剥離することができるシートである。
【００７８】
図６に示すように、情報記憶部４１０とアンテナ回路部４３０は、基材４４０の接着層６００側に形成されている。
【００７９】
図６の情報記憶部４１０は、図６の配線部６１１，６１２に対して、いわゆるフェイスダウン形式で電気的に接続されている。すなわち、図７に示すように情報記憶部４１０は、不揮発性メモリ４９０を有しており、この不揮発性メモリ４９０は、図６に示す配線部６１１，６１２側に対してバンプ４９１，４９１を用いて、配線部６１１，６１２に対して電気的にそれぞれ接続されている。
【００８０】
図６のセンサ端子部７５０，７５１、接続配線部７７１，７７２、配線部６１１，６１２、そしてアンテナ回路部４３０は、導電性を有する金属、たとえば銅（Ｃｕ）により形成されている。
【００８１】
図６に示す一方の配線部６１１は、アンテナ回路部４３０の一端部４３０Ａに対して電気的に接続されている。他方の配線部６１２は、ジャンパー接続線６１５を介して、アンテナ回路部４３０の他端部４３０Ｂに対して電気的に接続されている。
【００８２】
ジャンパー接続線６１５は、アンテナ回路部４３０に対して電気的に接続しないようにするために、たとえば図７に示すように接着層６００の中を通過している。これによって、ジャンパー接続線６１５はアンテナ回路部４３０には電気的に接触することがなく、ジャンパー接続線６１５は接着層６００により電気的かつ機械的に保護することができる。
【００８３】
図６に示すようにアンテナ回路部４３０はらせん状に形成されている。
【００８４】
図７に示す情報記憶部４１０の不揮発性メモリ４９０は、電気的に情報が書き換え可能なメモリ（ＥＥＰＲＯＭ）である。
【００８５】
この不揮発性メモリ４９０は、たとえばインクカートリッジ２００内に封入されたインクの種類、インクの残量、シリアル番号、有効期限などのインクに関する情報を記憶している。
【００８６】
次に、図７を参照しながら、基材４４０の積層構造と剥離シート４６０の積層構造例について説明する。
【００８７】
まず基材４４０の積層構造について説明する。
【００８８】
図７に示す基材４４０は、保護層７００と接着層６００の積層体である。保護層７００は、たとえばポリプロピレン樹脂層であり、電気絶縁性と紫外線遮断性の両方の特性を有している。
【００８９】
したがって、保護層７００は外部からの紫外線Ｌを遮断して、この紫外線Ｌが情報記憶部４１０の不揮発性メモリ４９０には影響を与えずに、不揮発性メモリ４９０に記憶されたインクに関する情報が、紫外線Ｌの影響により揮発（消去）されないようになっている。
【００９０】
保護層７００の材質としては、たとえば株式会社ユポコーポレーション（三菱化学株式会社と王子製紙株式会社の合弁会社）の商品名である、ユポを採用することができる。この保護層７００の材質は、ポリプロピレン樹脂（主成分）に対して炭酸カルシウムが充填剤として加わっている合成紙である。この合成紙は、白色透明フィルムであるために、紫外線の遮断率が高い。
【００９１】
接着層６００は、たとえば図７の例ではポリエステル系接着剤層６６１、ポリエステル樹脂層６６２およびアクリル系接着剤層６６３の積層体である。
【００９２】
これに対して、図７に示す剥離シート４６０は、剥離紙７５９を有している。
【００９３】
図５に示すようにこの剥離シート４６０の接着層７６０が、基材４４０の接着層６００に重ね合わせてある使用前の状態から、実際に剥離シート４６０をはがして図９に示すように上部壁面５ａに情報通信部材４００を貼り付ける場合には、図７に示す剥離シート４６０の接着層７６０は、剥離紙７５９から剥離線４６０Ｒに沿ってはがれる。
【００９４】
これにより、接着層７６０は、接着層６００側の情報記憶部４１０と、アンテナ回路部４３０と、図６に示す接続配線部７７１，７７２と、センサ端子部７５０，７５１と、そして配線部６１１，６１２を覆った状態で接着層６００に重ね合わされた状態となる。２つの接着層６００，７６０の重ね合わせ状態のまま、たとえば図９の部分Ｇと図１０に示すように、接着層７６０が上部壁面５ａに貼り付けられる。
【００９５】
このため、情報通信部材４００は、接着層７６０を用いて上部壁面５ａに対して密着して確実に貼り付けることができる。
【００９６】
剥離紙７５９は、たとえば保護層７００と同様の材質を用いることができる。
つまり剥離紙７５９は、電気絶縁性および紫外線遮断性を有している。接着層７６０は、アクリル系接着剤層７７１、ポリエステル樹脂層７７２、アクリル系接着剤層７７３から構成されている。
【００９７】
保護層７００と剥離紙７５９は、共に電気絶縁性および紫外線遮断性を有している。
【００９８】
これらの保護層７００と剥離紙７５９の材質としては、上述した材質の他に、たとえば次のようなものを採用することができる。
【００９９】
ＰＥＴ（ポリエチレンテレフタレート）材に対して紫外線遮断性を有する材料を混ぜることができる。
【０１００】
また、ＰＥＴに対して紫外線遮断性と電気絶縁性を持たせるために、紫外線遮断性を有するたとえば酸化チタン、酸化亜鉛、酸化セレン、ベンゾトリアゾール（有機物）などをＰＥＴに混ぜればよい。
【０１０１】
ＰＥＴに代えて粘着材に対して、上述したような紫外線遮断性を有する材料を練り込むこともできる。
【０１０２】
また、電気絶縁性および紫外線遮断性を有する材料としては、発泡ＰＥＴが採用できる。この発泡ＰＥＴは、ＰＥＴを発泡させることで、紫外線の透過率を下げて紫外線遮断性を上げたものであり、白色に見える。
【０１０３】
図７に示す接着層６００と接着層７６０は、好ましくは共にやはり電気絶縁性および紫外線遮断性を有する材料を採用することができるが、電気絶縁性のみを有していてもよい。
【０１０４】
図６と図７に示すように、情報記憶部４１０は、接着層６００側の図６に示す配線部６１１，６１２側に対していわゆるフェイスダウン状態で電気的に接続されている。したがって、情報記憶部４１０の不揮発性メモリ４９０は、基材４４０に対していわゆるフェイスダウン状態で配置されている。このことから、不揮発性メモリ４９０は直接外部には露出しておらず、保護層７００と接着層６００により保護されている。少なくとも保護層７００がたとえば紫外線遮断性を有していることにより、不揮発性メモリ４９０は、外部からの紫外線Ｌの影響により記憶情報が消去してしまうのを防ぐことができる。
【０１０５】
すなわち、保護層７００は外部からの紫外線Ｌを遮断する性能を有していることから、この保護層７００およびさらに好ましくは紫外線遮断性を有する接着層６００の機能も加わり、不揮発性メモリ４９０に記憶されているインクに関する情報は、確実に保護される。
【０１０６】
図８は、インクカートリッジ２０１の形状を簡略化して示しており、図９は、インクカートリッジ２０１とアンテナ基板５００の一例を示している。
【０１０７】
インクカートリッジ２０１の上部壁面５ａには、既に情報通信部材４００が貼り付けられている。
【０１０８】
情報通信部材４００をインクカートリッジ２０１の上部壁面５ａに貼り付けた状態では、たとえば図１０に示す情報記憶部４１０、そしてアンテナ回路部４３０などの要素は、全て上部壁面５ａ側に密着され、これらの要素は全て基材４４０により外部から保護されている。
【０１０９】
このように情報通信部材４００が貼り付けられた状態においても、保護層７００は外部の紫外線Ｌを遮断するので、不揮発性メモリ４９０のインクに関する情報を保護できる。インクカートリッジ２００の形状は、インクカートリッジ２０１の形状と同様である。
【０１１０】
図８と図９に示すように、情報通信部材４００のセンサ端子部７５０，７５１は、センサ９００に接続されている。このセンサ９００は、図１０に示すインクカートリッジ２００内に収容された液体の一例であるインク９１０の残量を検出するセンサである。
【０１１１】
センサ９００は、たとえば圧電振動子を利用したセンサを用いることができる。このセンサ９００は、インク９１０の量に応じて変化する交流波形をセンサ端子部７５０，７５１を通じて情報記憶部４１０に対してセンサ信号として送るようになっている。
【０１１２】
図１１は、図８に示す情報記憶部４１０と記録装置の本体１０１との間で、インクに関する情報のやり取りおよび作動用の電力の供給を、無線方式で非接触で行うためのシステム例を示している。
【０１１３】
図１１に示す情報通信部材４００は、インクカートリッジ２００，２０１側に装着されている。
【０１１４】
センサ９００は、センサ端子部７５０，７５１を通じて情報記憶部４１０のインク量検出部９２０に対して電気的に接続されている。
【０１１５】
情報記憶部４１０は、電子素子とも呼んでおり、たとえば制御部９３０、インク量検出部９２０、センサ駆動電圧生成部９７０、不揮発性メモリ４９０、電力生成部９４０、高周波送受信部９５０、プログラム電圧生成部９９０などを有している。
【０１１６】
高周波送受信部９５０は、アンテナ回路部４３０に対して接続されている。
【０１１７】
図１１に示す記録装置の本体１０１側には、記録ヘッド１やアンテナ基板５００が接続されている。図１０に示すようにアンテナ基板５００は、たとえば図１に示すカバー１０９が閉じた状態では、図９に示すように情報通信部材４００のアンテナ回路部４３０に対して所定の間隔をおいて対面するようになっている。
【０１１８】
ただし、このアンテナ基板５００の配置する位置は、カバー１０９の内面に限らず他の部分であっても勿論構わない。
【０１１９】
たとえば図１のキャリッジ２がＴ方向に沿って移動すると、図１１の記録装置の本体１０１の制御部５０９が、図１のキャリッジ２の移動を検出して、図１１に示すアンテナ基板５００から搬送波を出力する。
【０１２０】
この搬送波はインクカートリッジ２００または２０１のアンテナ回路部４３０により受信される。受信された搬送波は、図１１に示す高周波送受信部９５０の分波部９５１を通過して電力生成部９４０に入力して直流電力に変換される。
【０１２１】
この直流電力に変換された作動電力は、図示しない充電部に充電される。この作動電力は、充電部から情報記憶部４１０のプログラム電圧生成部９９０と、センサ駆動電圧生成部７０と、制御部９３０に送られることにより、情報記憶部４１０の動作を行う。
【０１２２】
充電部に充電するのに必要な時間が経過した時点で、図１１に示す記録装置の本体１０１側のアンテナ基板５００から情報通信部材４００側のアンテナ回路部４３０への搬送波の送信を停止する。
【０１２３】
制御部９３０とセンサ９００は、蓄電部からの電力の供給を受けると、インク量検出部９２０がセンサ９００からのセンサ信号に基づいてインク残量を算出する。このインク残量と、予め不揮発性メモリ４９０に記憶されているインクに関する情報が、制御部９３０の指令により高周波送受信部９５０を通じて高周波信号としてアンテナ回路部４３０から記録装置の本体１０１側のアンテナ基板５００側へ送信されることになる。
【０１２４】
このような動作を繰り返すことにより、インクカートリッジ２００，２０１と記録装置の本体１０１との間におけるインクに関する情報と電力の無線通信による送受信が可能になる。
【０１２５】
情報記憶部４１０とアンテナ回路部４３０は、図１０に示すように、電気絶縁性を有する保護層７００および接着層６００により完全に覆われているので、人体が発生する静電気やあるいはインクジェット式記録装置の機械部分で発生する静電気などが影響を与えることはない。したがって、情報記憶部４１０の不揮発性メモリ４９０やアンテナ回路部４３０が静電破壊により破壊されてしまう恐れはなくなる。
【０１２６】
また、図８のセンサ端子部７５０，７５１は、基材４４０の保護層７００と接着層６００により静電気から守ることができる。したがってセンサ端子部７５０，７５１は、外部からの静電気により静電破壊を起こすことがなくなる。
【０１２７】
図７に示すようにジャンパー接続線６１５が、たとえば接着層６００の中に埋め込んで配置することができる。このジャンパー接続線６１５は保護層７００と接着層６００により保護されているので、やはり静電破壊から守ることができる。つまり、このジャンパー接続線６１５に静電気が飛ぶと、情報記憶部４１０が静電破壊されてしまうのであるが、そのようなことは全くなくなる。
【０１２８】
図７に示すように情報記憶部４１０は、接着層６００に対していわゆるフェイスダウン状態で固定されている。このために、不揮発性メモリ４９０は、接着層６００および保護層７００により確実に静電気および紫外線から遮断することができる。つまり、図１０に示すように基材４４０が上部壁面５ａに貼り付けて使用する状態において、不揮発性メモリ４９０は表面には出ておらず接着層６００と保護層７００により覆い隠すことができる。
【０１２９】
上述したように保護層７００や剥離紙７５９などの材質としてＰＥＴの他にＰＳ（ポリスチレン）などの他の種類の材質を採用することも可能である。
【０１３０】
図７の実施形態の情報通信部材４００は、基材４４０の接着層６００は複数の層により形成されている。同様にして剥離シート４６０の接着層７６０も複数の層により形成されている。
【０１３１】
しかしこれに限らず、たとえば図１２に示す本発明の別の実施形態では、接着層６００は単層にすることができ、同様にして接着層７６０も単層にすることができる。
【０１３２】
この場合には、たとえば１層の接着層６００は、たとえばポリエステル系接着剤を用いることができ、単層の接着層７６０は、たとえばアクリル系接着剤を用いることができる。
【０１３３】
このような構造にすると、情報通信部材の積層構造が単純化できコストダウンが図れる。
【０１３４】
本発明では、基材の電気絶縁性は、情報記憶部とアンテナ部の静電破壊を防ぐことができる。また基材の紫外線遮断性は、情報記憶部が記憶しているインクに関する情報の消去（揮発）を確実に防ぐことができる。
【０１３５】
これにより、情報記憶部とアンテナ部は、比較的薄い厚みの基材によりインクカートリッジに対して確実に貼り付けて固定することができる。ジャンパー接続線がアンテナ部に対して電気的に触れることを防ぐことができる。
【０１３６】
ところで本発明の情報通信部材４００は、図示例では帯状もしくは長尺状の部材である。しかしこれに限らず他の種類の形状たとえば円形状や楕円形状や三角形状やその他の形状を採用することは勿論可能である。
【０１３７】
図２に示すインクカートリッジ２００，２０１の数は、これに限らずインクカートリッジの数は１個、２個、あるいは５個以上配列する形式を採用することができる。その場合に、各インクカートリッジは、情報通信部材４００を貼り付ける。
【０１３８】
図１と図９に示すアンテナ基板５００は、カバー１０９の内面側に配置されている。しかしこれに限らず、アンテナ基板５００は、各インクカートリッジ２００，２０１の情報通信部材４００に近接する位置であれば、インクジェット式記録装置１００の形状や形式に応じて変更することができる。
【０１３９】
図１に示すインクジェット式記録装置１００は、通常のカラー印字用の記録装置である。
【０１４０】
しかしこれに限らず、大量印刷もしくは印字するようなインクジェット式記録装置の場合には、各インクカートリッジが大容量であり、キャリッジはこのような大容量のインクカートリッジを収容する構造である。本発明の記録装置は、このような大量印刷用のインクジェット式記録装置であっても勿論構わない。
【０１４１】
本発明の情報通信部材は、インクジェット式記録装置に限らず、他の形式の記録装置のインクカートリッジに対しても適用することができる。
【０１４２】
本発明は、インクジェット式記録装置としての上記実施形態に限定されず、特許請求の範囲を逸脱しない範囲で種々の変更を行うことができる。
【０１４３】
たとえば、本発明の液体噴射装置としては、他の液体を噴射する液体噴射装置であってもよい。本発明の液体噴射装置は、たとえば、液晶ディスプレイ、ＥＬディスプレイおよび面発光ディスプレイの製造などに用いられる電極材や色材などの液体を噴射する液体噴射装置、バイオチップ製造に用いられる生体有機物を噴射する液体噴射装置、精密ピペットとしての試料噴射装置であってもよい。
【０１４４】
また、本発明の情報通信部材は、上述した液体噴射装置に用いられる液体容器に限らず、レーザープリンタ（記録装置）の記録材としてトナーを収容したトナーカートリッジ、インパクトドットプリンタ（記録装置）の記録材としてのインクリボンを収容したリボンカートリッジなどの記録材容器にも適用可能である。
【０１４５】
さらに、本発明の情報通信部材を同様の課題を有する他の物品に適用することも可能である。例えば、販売店等で商品に貼付する情報通信部材に適用したり、物品管理を行うためのコンテナ等に貼付される情報通信部材に適用することも可能である。
【０１４６】
上記実施形態の各構成は、その一部を省略したり、上記とは異なるように任意に組み合わせることができる。
【図面の簡単な説明】
【０１４７】
【図１】本発明の液体噴射装置の一例としてのインクジェット式記録装置の実施形態を示す斜視図。
【図２】図１のインクジェット式記録装置のキャリッジとインクカートリッジおよび情報通信部材を示す斜視図。
【図３】インクカートリッジおよび情報通信部材の一例を示す後方からみた斜視図。
【図４】インクカートリッジおよび情報通信部材の前方からみた斜視図。
【図５】情報通信部材を使用する前の状態であって剥離シートを有している状態を示す情報通信部材の斜視図。
【図６】情報通信部材の分解斜視図。
【図７】図５におけるＨ−Ｈ線における情報通信部材の断面構造例を示す図。
【図８】インクカートリッジと情報通信部材およびセンサを示す斜視図。
【図９】インクカートリッジとアンテナ基板および情報通信部材を示す一部断面を有する図。
【図１０】情報通信部材がインクカートリッジに貼り付けられた状態の例を示す図。
【図１１】情報通信部材と本体側との間の無線通信用のシステムの例を示す図。
【図１２】本発明の情報通信部材の別の実施形態を示す断面図。
【符号の説明】
【０１４８】
１００・・・インクジェット式記録装置（液体噴射装置の一例）、２００・・・インクカートリッジ（液体容器の一例）、４００・・・情報通信部材、４１０・・・情報記憶部、４３０・・・アンテナ回路部（アンテナ部の一例）、４４０・・・基材、４６０・・・剥離シート、４６０Ｒ・・・剥離線、４９０・・・不揮発性メモリ、６００，７６０・・・接着層、６１５・・・ジャンパー接続線、７００・・・保護層、７５９・・・剥離紙、Ｌ・・・紫外線。
【図１】
2004338395.tif 000003
【図２】
2004338395.tif 000004
【図３】
2004338395.tif 000005
【図４】
2004338395.tif 000006
【図５】
2004338395.tif 000007
【図６】
2004338395.tif 000008
【図７】
2004338395.tif 000009
【図８】
2004338395.tif 000010
【図９】
2004338395.tif 000011
【図１０】
2004338395.tif 000012
【図１１】
2004338395.tif 000013
【図１２】
2004338395.tif 000014